(57)【要約】【課題】スポーツ番組等の動きの表示が重要な番組については自然な動きの画面表示を確保しつつ極力省電力化を図るようにしたビデオデコーダを提供する。【解決手段】受信番組認識手段により受信した番組の種類を認識し、フレーム種類制限手段により、省電力設定に基づいて所定種類の番組の受信中のみ設定種類のフレームのデコード処理を制限してビデオデコーダ１１の消費電力を低減し、スポーツ番組等の動きの表示が重要な番組については自然な動きの画面表示を確保しつつ極力省電力化を図る。【選択図】図１
2008034924.tif 000002
【特許請求の範囲】
【請求項１】
デジタルテレビ放送の受信映像のビデオストリームが入力され、前記ビデオストリームの各種ピクチャのフレームをデジタルの映像出力にデコード処理するビデオデコーダにおいて、受信した番組の種類を認識する受信番組認識手段と、省電力設定により所定種類の番組の受信中のみデコード処理する前記フレームを間引くフレーム数制限手段とを備えたことを特徴とするビデオデコーダ。
【請求項２】
デジタルテレビ放送の受信映像のビデオストリームが入力され、前記ビデオストリームの各種ピクチャのフレームをデジタルの映像出力にデコード処理するビデオデコーダにおいて、受信した番組の種類を認識する受信番組認識手段と、省電力設定により所定種類の番組の受信中のみ設定種類のフレームのデコード処理を制限するフレーム種類制限手段とを備えたことを特徴とするビデオデコーダ。
【請求項３】
前記フレーム種類制限手段により制限されるフレームがＩピクチャのフレームであることを特徴とする請求項２記載のビデオデコーダ。
【請求項４】
請求項１乃至３のいずれか１項に記載のビデオデコーダにおいて、バッテリ電源が給電され、かつ、前記バッテリ電源の残存容量の所定量への低下の検出により前記省電力に設定する省電力設定手段を備えたことを特徴とするビデオデコーダ。
【請求項５】
請求項４項記載のビデオデコーダを備え、前記バッテリ電源によって動作することを特徴とする携帯型デジタル放送受信機。
【発明の詳細な説明】
【技術分野】
【０００１】
本発明は、デジタルテレビ放送受信用のビデオデコーダ及び該ビデオデコーダを備えた携帯型デジタル放送受信機に関し、詳しくは、それらの新規な省電力構造に関する。
【背景技術】
【０００２】
従来、いわゆる地上デジタル放送（ハイビジョン放送）やワンセグ放送等のデジタルテレビ放送は、動画の画像情報についてはＨ．２６４／ＭＰＥＧ−４  ＡＶＣ或いはＨ．２６４／ＡＶＣと呼ばれるＨ．２６４の画像圧縮や、ＭＰＥＧ−２の画像圧縮により圧縮処理されて無線、有線で伝送される。
【０００３】
そして、この種のデジタルテレビ放送を受信するデジタル放送受信機は、チューナが受信したデジタルＲＦ信号をデジタル復調器によりベースバンドのデジタル受信情報に復調し、そのデジタル受信情報にデマルチプレクサのＭＰＥＧ２の分離処理を施し、多重化されている映像、音声、付加情報を個別のストリーム（トランスポートストリーム）に分離する。
【０００４】
更に、デジタルテレビ放送受信用のビデオデコーダ、オーディオデコーダ、データデコーダにより、各ストリームの時間情報等に基づき、各ストリームを同期をとって時間伸張等し、元のデジタルの映像、音声及び時間情報等のデータをデコードして再生する。
【０００５】
このとき、映像（主に動画）のビデオストリームはＧＯＰ（Ｇｒｏｕｐ  ｏｆ  ｐｉｃｔｕｒｅ）を単位として配信され、各ＧＯＰはＩピクチャ、Ｂピクチャ、Ｐピクチャと呼ばれる３種類のフレームを含み、ビデオデコーダは、Ｉピクチャのフレームを単独でデコード処理し、Ｂピクチャのフレームを前、後（過去、未来）のフレームから動きを予測してデコード処理し、Ｐピクチャを前（過去）のフレームから動きを予測してデコード処理する。
【０００６】
そして、ビデオデコーダによりデコードして再生された受信番組の映像のデジタルデータを、そのまま或いはアナログの信号に変換して後段の表示処理部に送り、この表示処理部により、受信番組の映像を液晶ディスプレイ、プラズマディスプレイ、ＣＲＴ等の画面表示装置に表示する。
【０００７】
尚、前記デジタルテレビ放送受信デコーダは、多くの場合、専用ＩＣ或いはマイクロコンピュータのソフトウエア処理によって形成される。
【０００８】
ところで、この種のデジタル放送受信機には、商用電源で動作する据え置き型のものだけでなく、バッテリで動作する携帯型のものもある。
【０００９】
そして、据え置き型、携帯型のいずれのデジタル放送受信機であっても、極力、省電力に構成することが望まれ、内蔵するビデオデコーダ（実際にはこのデコーダを形成する前記専用ＩＣ又はマイクロコンピュータ）の省電力化を図ることは重要である。
【００１０】
特に携帯型デジタル放送受信機の場合、受信機全体の消費電力に占めるビデオデコーダの消費電力の割合は、据え置き型の比較的大画面のものより大きく、バッテリ電源による表示時間を少しでも長くする上からは、ビデオデコーダの省電力化の寄与は大きい。
【００１１】
そこで、この種の携帯型デジタル放送受信機において、バッテリ電源のレベル（電圧）が設定したしきい値に低下すると、動画のフレームをデコードする率（フレームレート）を抑制してビデオデコーダの省電力化を図り、バッテリ電源の電力消費を少なくすることが提案されている（例えば、特許文献１参照。）。
【００１２】
又、この種の携帯型デジタル放送受信機において、バッテリ電源の残量が少なくなると、ビデオデコーダの動作クロックの周波数を低くしてバッテリ電源の電力消費を低減することが提案されている（例えば、特許文献２参照。）。
【００１３】
更に、同様のビデオデコーダを備えた簡易復号画像モニタ装置において、Ｉフレームの出現を検出してＩフレームのみをデコード処理し、Ｉフレーム以外はビデオフレームデコードを行わないようにしてバッテリ電源の電力消費を低減することが提案されている（例えば、特許文献３参照。）。
【特許文献１】特開２００５−２２３４５４号公報（要約書、請求項１、段落［００１５］−［００２２］、図１、図２等）
【特許文献２】特開２００３−２０４４９３号公報（請求項８、段落［００６７］−［００７１］、図１６、図１７等）
【特許文献３】特開２００４−２３１７３号公報（要約書、請求項８、段落［００３９］−［００４０］、［００６３］、図１等）
【発明の開示】
【発明が解決しようとする課題】
【００１４】
前記特許文献１に記載のように、バッテリ電源のレベル低下のみに基づいて受信映像のデコードするフレームを間引き、ビデオデコーダの電力消費を低減する省電力構成では、バッテリ電源のレベルが低下すると、スポーツ番組等の動きの表示が重要な番組についてもデコードするフレームが間引かれ、間欠的で不自然な動きの画面表示しか行なえず、ビデオデコーダのデコード出力の映像表示性能が著しく低下する問題がある。
【００１５】
又、前記特許文献２に記載のようにビデオデコーダの動作クロック周波数を低くすると、その結果、デコードする動画のフレームを間引くことになる。
【００１６】
そのため、前記特許文献２に記載の省電力構成は実質的に前記特許文献１に記載の省電力構成と同じであり、特許文献２に記載の省電力構成の場合も、バッテリ電源のレベルが低下すると、スポーツ番組等の動きの表示が重要な番組についても、間欠的で不自然な画面表示しか行なえず、デコード出力の映像表示性能が著しく低下する問題がある。
【００１７】
更に、前記特許文献３に記載のように、無条件にＩフレームのみを選択してデコード処理し、バッテリ電源の電力消費を低減する省電力構成では、バッテリ電源が十分なときにもＩフレームだけに間引いてデコードが行なわれてしまう問題があり、しかも、スポーツ番組等の動きの表示が重要な番組において間欠的で不自然な動きの画面表示しか行なえず、デコード出力の映像表示性能が著しく低下する問題もある。
【００１８】
本発明は、スポーツ番組等の動きの表示が重要な番組については自然な動きの画面表示を確保しつつ極力省電力化を図るようにした新規なビデオデコーダ及び該ビデオデコーダを備えた携帯型デジタル放送受信機を提供することを目的とする。尚、本願において、「デジタル放送受信機」にはＨＤＤ、ＤＶＤ等の映像の記録再生装置を搭載したもの等も含まれる。
【課題を解決するための手段】
【００１９】
上記の目的を達成するために、本発明のビデオデコーダは、デジタルテレビ放送の受信映像のビデオストリームが入力され、前記ビデオストリームの各種ピクチャのフレームをデジタルの映像出力にデコード処理するビデオデコーダにおいて、受信した番組の種類を認識する受信番組認識手段と、省電力設定により所定種類の番組の受信中のみデコード処理する前記フレームを間引くフレーム数制限手段とを備えたことを特徴とする（請求項１）。
【００２０】
又、本発明のビデオデコーダは、デジタルテレビ放送の受信映像のビデオストリームが入力され、前記ビデオストリームの各種ピクチャのフレームをデジタルの映像出力にデコード処理するビデオデコーダにおいて、受信した番組の種類を認識する受信番組認識手段と、省電力設定により所定種類の番組の受信中のみ設定種類のフレームのデコード処理を制限するフレーム種類制限手段とを備えたことを特徴としている（請求項２）。このとき、前記フレーム種類制限手段により制限されるフレームがＩピクチャのフレームであることが好ましい（請求項３）。
【００２１】
更に、本発明のビデオデコーダは、上記請求項１乃至３のいずれか１項に記載のビデオデコーダにおいて、バッテリ電源が給電され、かつ、前記バッテリ電源の残存容量の所定量への低下の検出により前記省電力に設定する省電力設定手段を備えたことを特徴としている（請求項４）。
【００２２】
次に、本発明の携帯型デジタル放送受信機は、上記請求項４項記載のビデオデコーダを備え、前記バッテリ電源によって動作することを特徴としている（請求項５）。
【発明の効果】
【００２３】
請求項１の発明によれば、受信番組認識手段の受信した番組の種類の認識に基づき、省電力設定されたときに、フレーム数制限手段が所定種類の番組の受信中のみデコード処理するフレームを間引いてビデオデコーダの消費電力を低減することができる。
【００２４】
そのため、所定種類の番組をスポーツ番組等の動きの表示が重要な番組以外のニュースや天気予報等に設定することにより、スポーツ番組等の動きの表示が重要な番組については自然な動きの画面表示を確保しつつ極力省電力化を図るようにした省電力構成の新規なビデオデコーダを提供することができる。
【００２５】
そして、据え置き型、携帯型を問わず、デジタル放送受信機のビデオデコーダに適用することにより、受信機の画面表示性能を損なうことなく、一層の省電力化を図ることができる。
【００２６】
又、請求項２の発明によれば、受信番組認識手段の受信した番組の種類の認識に基づき、省電力設定されたときに、フレーム種類制限手段により所定種類の番組の受信中のみ設定種類のフレームのデコード処理を制限してビデオデコーダの消費電力を低減することができる。
【００２７】
そして、所定種類の番組をスポーツ番組等の動きの表示が重要な番組以外のニュースや天気予報等に設定することにより、請求項１の発明の場合と同様、スポーツ番組等の動きの表示が重要な番組については自然な動きの画面表示を確保しつつ極力省電力化を図るようにした省電力構成の新規なビデオデコーダを提供することができ、据え置き型、携帯型を問わず、デジタル放送受信機のビデオデコーダに適用することにより、受信機の画面表示性能を損なうことなく、一層の省電力化を図ることができる。
【００２８】
更に、請求項３の発明によれば、請求項２のフレーム種類制限手段により制限されるフレームをＩピクチャのフレームにすることにより、Ｉピクチャのフレームが間欠的にデコードされるだけでなく、同時に、前、後のＰピクチャ、Ｂピクチャのフレームもデコードされず、効果的にデコードするフレームを間引くことができ、更に一層効果的な省電力化を図ることができる。
【００２９】
又、請求項４の発明によれば、給電されるバッテリ電源の残存容量が所定量に低下すると、省電力設定手段により自動的に省電力に設定し、所定種類の番組の受信中のみデコード処理するフレームを間引いて（或いは、デコード処理するフレームの種類を制限して）受信した番組の映像をデコードして再生することができる。
【００３０】
更に、請求項５の発明によれば、動作電源であるバッテリ電源の残存容量が所定量に低下すると、省電力設定手段によりビデオデコーダを自動的に省電力に設定し、所定種類の番組の受信中のみデコード処理するフレームを間引いて（或いは、デコード処理するフレームの種類を制限して）受信した番組の映像をデコードして再生することができる。
【００３１】
そして、所定種類の番組をスポーツ番組等の動きの表示が重要な番組以外のニュースや天気予報等に設定することにより、スポーツ番組等の動きの表示が重要な番組については自然な動きの画面表示を確保しつつ極力省電力化を図るようにした省電力構成の新規な携帯型デジタル放送受信機を提供することができる。
【発明を実施するための最良の形態】
【００３２】
次に、本発明をより詳細に説明するため、その１実施形態について、図１〜図５にしたがって詳述する。
【００３３】
図１は本発明が適用される携帯型デジタル放送受信機のブロック図、図２は図１のビデオデコーダの詳細なブロック図、図３は図１のビデオデコーダの動作説明用のフローチャート、図４は図３の通常デコードの詳細なフローチャート、図５は図３のIフレームデコードの詳細なフローチャートである。
【００３４】
図１の携帯型デジタル放送受信機は１次電池又は２次電池からなるバッテリ電源1を備え、該バッテリ電源1はマイクロコンピュータ（CPU）の主制御部２に常給電されると共に電源スイッチ３を介して回路部４の電源ラインに接続されている。
【００３５】
そして、電源スイッチ３がオフしている間は、主制御部２が記憶装置５に保持された待機制御プログラムを実行し、電源オン操作、タイマ起動を待機する。
【００３６】
この待機中に電源オン操作又はタイマ起動が発生して電源スイッチ３がオンすると、バッテリ電源1が回路部４の各部に給電されて携帯型デジタル放送受信機が動作状態になる。
【００３７】
又、主制御部２は記憶装置５の主制御プログラムを実行し、操作部６又は図示省略したリモコンのチャンネル選択や画面表示、音量の調節等の各種操作を受け付ける状態になる。
【００３８】
そして、受信チャンネルの選択又はタイマ設定にしたがって主制御部２が受信制御を実行し、該受信制御に基づき、アンテナ７で捕捉されたハイビジョン放送や地上デジタルテレビ放送等のデジタルテレビ放送の受信チャンネルの電波（又はケーブル伝送された受信チャンネルの電波）をデジタルチューナ８によって受信選局し、デジタルチューナ８の受信信号（デジタルＲＦ信号）をデジタル復調器９によってベースバンドのデジタル受信情報に復調する。
【００３９】
更に、デジタル復調器９の受信チャンネルのデジタル受信情報をデマルチプレクサ１０に送り、該デマルチプレクサ１０の周知のＭＰＥＧ２の分離処理により、前記デジタル受信情報の多重化されている映像、音声、付加情報を個別のストリーム（トランスポートストリーム；ＴＳ）、すなわち、ビデオストリーム、オーディオストリーム、データストリームに分離する。
【００４０】
そして、ビデオストリームはビデオデコーダ１１に転送し、オーディオストリームはオーディオデコーダ１２に転送し、データストリームはデータデコーダ１３に転送する。
【００４１】
各デコーダ１１〜１３は、デジタルチューナ８、デジタル復調器９、デマルチプレクサ１０等と同様、ＡＳＩＣ（専用集積回路）又はマイクロコンピュータのソフトウエア処理によって形成され、データデコーダ１３はデータストリームの付加情報をデコードして主制御部２に送る。
【００４２】
このとき、主制御部２は付加情報からオーディオストリームの音声情報、データストリームの映像情報の再生タイミングの時間情報や再生順序の情報等を検出し、これらの情報に基づいてビデオデコーダ１１、オーディオデコーダ１２のデコード処理を制御する。
【００４３】
そして、ビデオデコーダ１１は例えば図２に示すように構成され、主制御部２によって制御されるビデオ制御部１１ａにより内部の動作を制御し、入力されたビデオストリームの映像を、オーディオデコーダ１２のオーディオストリームからの音声のデコードと同期をとってデコード処理する。
【００４４】
ところで、映像のビデオストリームは上述したようにＧＯＰを単位として配信され、各ＧＯＰはＩピクチャ、Ｂピクチャ、Ｐピクチャと呼ばれる３種類のフレームを含み、ビデオデ制御部１１ａは各ピクチャのフレームに含有されるビクチャヘッダから、ビデオストリームの各フレームの種類（Ｉピクチャ、Ｐピクチャ、Ｂピクチャ）を判別する。
【００４５】
尚、上記３種類のフレームは毎秒およそ３０枚（ワンセグ放送なら毎秒およそ１５枚）の映像信号フレームを構成する圧縮された映像のデジタル情報である。そして、Ｉピクチャのフレームは０．５秒（ワンセグなら１秒）に１枚の割合で含有され、他の２種類のフレーム（Ｐピクチャ、Ｂピクチャのフレーム）とは異なり、単独で画像データにデコードすることが可能である。又、Ｂピクチャのフレームはデコードに際して前、後（過去、未来）のフレームの両方から画像の動きを予測して補償する必要があり、Ｐピクチャのフレームはデコードに際して前（過去）のフレームから画像の動きを予測して補償する必要がある。
【００４６】
そして、前記フレームの種類の判別に基づき、通常は、ビデオ制御部１１ａの通常デコード処理の制御に基づき、各ピクチャのフレームに図２の可変長復号部１１ｂの可変長復号、逆スキャン部１１ｃの逆スキャン、逆量子化部１１ｄの逆量子化、逆ＤＴＣ部１１ｅの逆離散コサイン変換を施す。
【００４７】
このとき、Ｉピクチャのフレームについては、逆ＤＴＣ部１１ｅの逆離散コサイン変換を施すことで当該フレームを単独でデコード処理してデジタルの映像データを復号することができ、デコードした映像データを加算器１１ｆから後段のビデオＤ／Ａ変換器（以下Ｄ／Ａ変換器をＤＡＣという）１４に出力すると共に、フレームメモリ１１ｇに書き換え自在に蓄積保持する。
【００４８】
又、Ｐピクチャ、Ｂピクチャのフレームのついては、逆ＤＴＣ部１１ｅの逆離散コサイン変換を施した後、フレームメモリ１１ｇから読み出した前、後のフレーム又は前のフレームのデータに基づく動き補償部１１ｈの補償データを加算器１１ｆで加算し、動き補償を施してデジタルの映像データをデコードし、デコードした映像データを加算器１１ｆからビデオＤＡＣ１４に出力すると共に、フレームメモリ１１ｇに書き換え自在に蓄積保持する。
【００４９】
そして、ビデオデコーダ１１によりデコードした受信チャンネルのデジタルの映像データをビデオＤＡＣ１４によりアナログの映像信号に変換し、この映像信号により画面表示装置としての例えば液晶ディスプレイ１５を駆動し、該液晶ディスプレイ１５に受信チャンネルのデジタル放送を画面表示する。
【００５０】
又、オーディオデコーダ１２は入力されたオーディオストリームからデジタルの音声データをデコードし、デコードした音声データを後段のオーディオＤＡＣ１６に送り、該オーディオＤＡＣ１６により前記音声データをアナログの音声信号に変換し、この音声信号によってスピーカ装置１７を駆動して受信チャンネルのデジタル放送を音声出力する。
【００５１】
そして、バッテリ電源１の残存容量が十分な間は、ビデオデコーダ１１によってＩピクチャ、Ｂピクチャ、Ｐピクチャのフレーム全てをデコードすることにより、スポーツ番組等の動きの表示が重要な番組等を良好に表示する。
【００５２】
しかしながら、バッテリ電源１の残存容量が少なくなってくると、スポーツ番組等の動きの表示が重要な番組については自然な動きの画面表示を確保しつつ少しでも長く映像表示を継続するため、次に説明するように、番組の種類によってビデオデコーダ１１によってデコードするフレームを制限し、ビデオデコーダ１１の消費電力を抑制してバッテリ電源１の電飾消費を低減する。
【００５３】
すなわち、ビデオデコーダ１１のビデオ制御部１１ａは、予め設定された図３〜図５のビデオデコード制御プログラムを実行することで、受信した番組の種類を認識する受信番組認識手段と、バッテリ電源１の残存容量の所定量への低下の検出により前記省電力に設定する省電力設定手段と、デコード停止制御手段とを備え、バッテリ電源１の残存容量に応じて通常デコードのモード、Ｉフレームデコードのモード、デコード停止の制御を選択的に行なう。
【００５４】
そして、受信番組認識手段は主制御部２を介して入力されたデータストリームヘッダに含まれるＥＩＴ情報（テーブルのコンテント記述子に示された番組ジャンル情報)から受信中の現在の番組のジャンル（種類）を認識する。
【００５５】
又、フレーム種類制限手段は、この実施形態においては、Ｉピクチャのフレームをデコード処理が制限されるフレームとし、省電力設定により所定種類の番組の受信中のみ、Ｉピクチャのフレームのデコード処理を２枚中１枚又は３枚中１枚に制限する、或いは、Ｉピクチャのフレームのデコード処理を２秒に１枚又は３秒に１枚に制限する。
【００５６】
更に、省電力設定手段は、回路部４に設けたバッテリ残量チェッカ１８により例えばバッテリ電源１の電流を監視して検出されたバッテリ電源１の時々刻々の残存容量（電力量）Ｗｘと、設定された通常デコード限界のしきい値Ｗｓａとを比較し、残存容量Ｗｘがしきい値Ｗｓａより低下すると、自動的に省電力に設定する。
【００５７】
又、デコード停止制御手段は、残存容量（電力量）Ｗｘとしきい値Ｗｓａより小さい動作停止のしきい値Ｗｓｂとを比較し、残存容量（電力量）Ｗｘがしきい値Ｗｓｂに低下したときにビデオデコーダ１１を停止状態に制御する。
【００５８】
一方、所定種類の番組はスポーツ番組等の動きの表示が重要なジャンルの番組以外のニュースや天気予報等の静止画でも十分なジャンルの番組であり、煩雑な設定操作を省くため、設計時等に予めビデオ制御部１１ａに設定される。
【００５９】
そして、ビデオ制御部１１ａは電源投入によってビデオデコード制御プログラムの実行を開始し、ビデオデコーダ１１にビデオストリームが入力されると、図３のステップＡ１からステップＡ２に移行し、ビデオ制御部１１ａは受信番組認識手段によって受信中の番組のジャンルを認識する。
【００６０】
更に、図３のステップＡ２からステップＡ３に移行し、省電力設定手段、デコード停止制御手段が動作し、主制御部２を介してビデオ制御部１１ａに入力されたバッテリ残量チェッカ１８が検出した現在の残存容量Ｗｘと設定されたしきい値Ｗｓａ、Ｗｓｂとを比較する。
【００６１】
そして、Ｗｘ≧Ｗｓａであれば、残存容量Ｗｘが十分大きいので、図３のステップＡ３からステップＡ４に移行し、ビデオデコーダ１１を通常デコードのモードに制御する。
【００６２】
この通常デコードのモードの制御においては、番組の種類（ジャンル）に関わらず図４のステップＢ１〜Ｂ４のデコード処理を行ない、上述したようにＩピクチャ、Ｐピクチャ、Ｂピクチャのフレーム全てをデコードする。その結果、スポーツ番組等の動きの表示が重要な番組を含む全ての種類の番組が良好に表示される。
【００６３】
尚、図４のステップＢ１〜Ｂ４のデコード処理を終了すると、電源オフになるまで、図３のステップＡ４からステップＡ５を介してステップＡ１に戻り、次のビデオストリームのデコード処理を行なう。
【００６４】
次に、バッテリ電源１の残存容量Ｗｘがしきい値Ｗｓａを下回り、Ｗｓａ＞Ｗｘ≧Ｗｓｂになると、ビデオ制御部１１ａは省電力制御に設定され、図３のステップＡ３からステップＡ６に移行して受信中の番組が設定された上述のニュースや天気予報等の静止画でも十分なジャンルの所定種類の番組か否かが判断される。
【００６５】
そして、スポーツ番組等の動きの表示が重要なジャンルの番組等の前記所定種類の番組以外の番組であれば、図３のステップＡ６からステップＡ４に移行して通常デコードのモードを維持し、動画の画面表示性能が低下しないようにする。
【００６６】
一方、静止画でも十分なジャンルの前記所定種類の番組であれば、図３のステップＡ６からステップＡ７に移行し、Ｉフレームデコードのモードの制御に切り換わり、図５のステップＣ１〜Ｃ４の処理を実行する。
【００６７】
すなわち、フレーム種類制限手段が動作し、図５のステップＣ１によりＩピクチャのフレームを選択し、更に、ステップＣ２により、Ｉピクチャのフレームのうちのデコード処理を行なう、上述の２枚中１枚又は３枚中１枚、或いは、２秒に１枚又は３秒に１枚に該当するもののみを抽出する。
【００６８】
そして、抽出した（制限された）Ｉピクチャのフレームにつき、図５のステップＣ３によりデコード処理を実行し、ステップＣ４によりフレームメモリ１１ｇにＩピクチャのデコードしたデジタルの画像データをフレームメモリ１１ｇに書き換え自在に格納し、ステップＣ５によりその画像データをビデオＤＡＣ１４に出力する。
【００６９】
尚、図５のステップＣ１〜Ｃ５のデコード処理を終了すると、電源オフになるまで、図３のステップＡ４からステップＡ５を介してステップＡ１に戻り、次のビデオストリームのデコード処理を行なう。
【００７０】
そのため、バッテリ電源１の残存容量ＷｘがＷｓａ＞Ｗｘ≧Ｗｓｂになる間は、制限されたＩピクチャのフレームのデコード処理が制限され、その分ビデオデコーダ１１の消費電力が少なくなり、バッテリ電源１の電力消費が少なくなる。
【００７１】
又、Ｉピクチャのフレームのデコードが制限されると、その前、後のＰピクチャのフレームやＢピクチャのフレームの動き補償が行なえなくなるので、それらのフレームのデコード処理も連動して行なわれなくなり、ビデオデコーダ１１の消費電力が一層少なくなって省電力化の効率が向上し、バッテリ電源１の電力消費が一層少なくなる。
【００７２】
その結果、スポーツ番組等の動きの表示が重要な番組については自然な動きの画面表示を確保しつつ極力省電力化を図って表示可能な時間を長くすることができる。
【００７３】
尚、この省電力設定の間には、液晶ディスプレイ１５のバックライトの光量を落としたり、スピーカ装置１７の音量を小さくしたりして、バッテリ電源１の電力消費を更に一層低減することが好ましいのは勿論である。
【００７４】
ところで、バッテリ電源１の残存容量ＷｘがＷｓｂ≧Ｗｘに低下すると、図３のステップＡ３からステップＡ８に移行し、デコード停止制御手段により、ビデオデコーダ１１を停止状態に制御し、ビデオデコーダ１１の電力消費を極めて少なくしてバッテリ電源１の過放電防止等を図る。
【００７５】
このとき、受信した番組はスピーカ装置１７の音声出力によって鑑賞することは可能である。
【００７６】
したがって、前記実施形態の場合、バッテリ電源１の残存容量が少なくなってきたときに、デコード処理するフレームの種類を制限して不必要な動画のデコード処理を抑制し、スポーツ番組等の動きの表示が重要な番組については自然な動きの画面表示を確保しつつ極力省電力化を図るようにした省電力構成の新規なデジタル放送受信用のビデオデコーダ１１を提供することができ、更に、このビデオデコーダ１１を備え、スポーツ番組等の動きの表示が重要な番組については自然な動きの画面表示を確保しつつ、バッテリ電源１の消費可能な残り時間を極力延長させることができる省電力構成の新規な携帯型デジタル放送受信機を提供することができる。
【００７７】
又、バッテリ電源１の残存容量が更に少なくなくと、ビデオデコーダ１１を実質的に停止したため、映像は見ることはできなくなるが、電力消費の少ない音声出力によって番組内容を長時間にわたって把握することが可能になる利点も有する。
【００７８】
更に、Ｉフレームデコードのモードやデコード停止に切り換わると、使用者（ユーザ）は液晶ディスプレイ１５の画面表示の状態からビデオデコーダ１１のモードの切り換わりを通してバッテリ電源１の状態を認識することができ、オンスクリーン表示（ＯＳＤ）などによってバッテリ電源１の状態を報知する特別な構成を備えることなく、バッテリ電源１の状態を使用者に認識させることができる利点も有る。
【００７９】
ところで、ビデオデコーダ１１において、デコード処理を制限するフレームは、Ｉピクチャのフレームに限られるものではなく、Ｐピクチャ、Ｂピクチャのフレームであってもよく、Ｉピクチャ、Ｐピクチャ、Ｂピクチャのフレームのうちの複数種類のフレームであってもよい。
【００８０】
又、図３の携帯型デジタル放送受信機において、液晶ディスプレイ１５に代えて、ＣＲＴやプラズマディスプレイを備える場合にも同様の効果が得られるのは勿論である。
【００８１】
そして、本発明は上記した実施形態に限定されるものではなく、その趣旨を逸脱しない範囲において上述したもの以外に種々の変形実施を行なうことが可能であり、例えば、ビデオデコーダ１１において、デコード処理を制限するフレームは、ＭＰＥＧ２と異なる規格のフレームについても同様にして設定することができる。
【００８２】
又、ビデオデコーダ１１にフレーム種類制限手段に代えてフレーム数制限手段を備え、省電力設定により所定種類の番組の受信中のみデコード処理するフレームを、フレームの種類に関係なく間引くようにしても前記実施形態と同様の効果が得られ、この場合は、フレームの種類の認識等が不要になる利点も有る。
【００８３】
更に、ＭＰＥＧ２と異なる規格の画像フレームになるデジタルテレビ放送の場合にも、本発明が同様に適用できるのは勿論である。
【００８４】
次に、ビデオデコーダ１１は商用電源で動作する据え置き型のデジタル放送受信機のも適用することができ、この場合、省電力の設定は、例えば、商用電源の減電時等に電圧低下を検出して行なうようにすればよい。
【００８５】
そして、本発明は、種々のデジタルテレビ放送のビデオデコーダ及び携帯型、据え置き型のデジタル放送受信機に適用することができ、その際、処理の手順等は前記実施形態と異なっていてもよいのは勿論である。
【図面の簡単な説明】
【００８６】
【図１】本発明の一実施形態の携帯型デジタル放送受信機のブロック図である。
【図２】同上、携帯型デジタル放送受信機のビデオデコーダの詳細なブロック図である。
【図３】同上、携帯型デジタル放送受信機のビデオデコーダの動作説明用のフローチャートである。
【図４】同上、携帯型デジタル放送受信機のビデオデコーダの通常デコードの詳細なフローチャートである。
【図５】同上、携帯型デジタル放送受信機のビデオデコーダのIフレームデコードの詳細なフローチャートである。
【符号の説明】
【００８７】
１    バッテリ電源
２    主制御部
１１    ビデオデコーダ
１１ａ    ビデオ制御部
１８    バッテリ残量チェッカ
【図１】
2008034924.tif 000003
【図２】
2008034924.tif 000004
【図３】
2008034924.tif 000005
【図４】
2008034924.tif 000006
【図５】
2008034924.tif 000007